(57)【要約】      （修正有）【課題】車を側溝に脱輪したり、縁石に乗り上げたり、白線をまたいで停車するような事故を防止することが出来るドアミラーの一端に設けた補助具を提供する。【解決手段】ドアミラー７の内部に透明ブロック２を設置する。ドアミラー７の上面の上に前記プリズムミラー１を設置する。透明ブロック２の底面４に映った車のフロントの側面と、フロントのタイヤの側面と、タイヤの下の道路の映った画面を、透明ブロック２の中を通過させてプリズムミラー１の底面２１に送り、反射面で屈折させて前記プリズムミラー１の鏡面１６に映すことが出来る。【選択図】図１０
0003188691.tif 000002
【実用新案登録請求の範囲】
【請求項１】
ドアミラー７の上面１７に窓９を設けて、底面１８に窓１０を設けたドアミラー７の上面の窓９の上に底面２１を合わせてプリズムミラー１をドアミラー７の上に設けて、ドアミラー７の中に透明ブロック２を設けて、透明ブロックの上面３を窓９に合わせて設けて、底面４を窓１０に合わせて設ける。
取り付け台１２を車１１の左のフロントドアに設けて、ドアミラー７を車１１の左のフロントドアに設置する。
【考案の詳細な説明】
【技術分野】
【０００１】  この考案は、ドアミラーの上にプリズムミラーを設けて、ドアミラーの内部に透明ブロックを入れた車の補助鏡に関するものである。
【背景技術】
【０００２】  従来、車のドアミラーに設けた補助鏡は、ドアミラーの下部に補助鏡を設けてあるために、補助鏡を見ると、顔と目の位置が下に向き、補助鏡と車の前方を交互に見て安全の確認をしながら車を道路の端に寄せようとすると、目と顔が上下左右に大きく動くために車の前方と補助鏡を交互に見て安全確認をする動作がおそくなる欠点があった。
又、ドアミラーに補助鏡の付いていない車は、勘で車を道路の端に寄せるために、車を側溝に脱輪させたり、縁石に車を乗り上げたり、白線をまたいで停車することもあった。
【考案が解決しようとする課題】
【０００３】  本考案は、その欠点を無くするために、ドアミラー７の上面１７に、窓９を設けて、底面１８に窓１０を設けたドアミラーの上面１７の窓９の上に底面２１を合わせて、ドアミラー７の上にプリズムミラー１を設けて、ドアミラー７の中に透明ブロック２を入れて、上面３を窓９に合わせて設けて、底面４を窓１０に合わせて設けて、取り付け台１２を車１１の左のフロントドアに設けてドアミラー７を車１１に設置する。
車１１に設けたドアミラー７の底の窓１０に設けた透明ブロックの底面４に映った車の左のフロントの側面と、左のフロントのタイヤの側面と、タイヤの下の道路の画面は、透明ブロック２の透明な体積の中を通って上面３から透明ブロック２の体積の外に抜けて出て、窓９を通って、窓９の上に設けたプリズムミラーの底面２１を通過して反射面１５に映った画面は屈折して、プリズムミラーの鏡面１６に映り、鏡面１６に映った画面を見ながら車を操作して車の幅寄せをすることが出来ることを課題に研究をすすめた。
【課題を解決するための手段】
【０００４】イ、図２、透明ブロック２を透明な体積で作る。
ロ、図７、ドアミラー７の上面１７に窓９を設けて、図８、ドアミラー７の底面１８に窓１０を設ける。
ハ、図９、ドアミラーの上面の窓９の上にプリズムミラーの底面２１を合わせて設けて、ドアミラー７の上面１７にプリズムミラー１を設ける。
ニ、図９、ドアミラー７の中に透明ブロック２を入れて設け、窓９に上面３を合わせて設け、窓１０に底面４を合わせて設ける。
ホ、窓９をはさんでプリズムミラー１の底面２１と、透明ブロック２の上面３を向かい合わせて設け、ドアミラーの鏡面８とプリズムミラー１の鏡面１６を同じ方向の正面に向けて設ける。
ヘ、図１０、車１１のフロントドアに、ドアミラー取り付け台１２を設けて、車１１の左のフロントの側面と、左のフロントのタイヤの側面と、タイヤの下の道路が透明ブロックの底面４に映るよう設定してドアミラー７設置する。
【考案の実施と形態】
【０００５】  車１１の左のフロントドアに設置したドアミラー７の中に設けた透明ブロックの底面４に映った車１１のフロントの側面と、左のフロントのタイヤの側面と、タイヤの下の道路の画面は、透明ブロック２の透明な体積の中に進入して体積に映り込んだ画像を上面に通して、透明ブロックの上面３から透明ブロック２の透明な体積の外に出た底面４が映した画面は、ドアミラーの上の窓９を通って、ドアミラー７の上に設けたプリズムミラーの底面２１を通過して反射面１５に映り、傾斜した反射面１５で屈折してプリズムミラーの鏡面１６に映る。
車の運転者は、ドアミラー７の上に設けたプリズムミラーの鏡面１６に映った画面を見ながら車を操作して道路の端に車を寄せたり、道路の端に車を停車することが出来る。
【本考案の効果】
【０００６】  本考案の厚版で作った透明ブロック２は、底面４に映った画面を透明ブロック２の透明な体積の中に映り込ませて通して移動して、透明ブロック２の透明な体積の外に出すことが出来、透明ブロック２の外に出た底面４が映した画面は、ドアミラーの上の窓９を通ってドアミラー７の窓９の上に設けたプリズムミラーの底面２１を通過して反射面１５で屈折してプリズムミラーの鏡面１６に映すことが出来る。
そのために、車の左のフロントの側面と、左のフロントのタイヤの側面と、タイヤの下の道路が映ったプリズムミラーの鏡面１６を見ながら車を操作して車を道路の端に寄せることが出来るために、車を側溝に脱輪したり、縁石に乗り上げたり、白線をまたいで停車するような事故を防止することが出来る。
又、左のフロントのタイヤの移動方向もプリズムミラーの鏡面に映して見ることが出来るために、安全に車を道路の端に寄せることが出来る効果がある。
又、プリズムミラーの鏡面と、車の前の方向を見る間隔の幅が狭いので車を道路の端に寄せるときに、車の前方と、プリズムミラーの鏡面と、車の後方向を見るドアミラーの鏡面を素早く見て安全確認をすることが出来る。
【本考案は、次のようなことが出来る】
◎  図１３、ドアミラーの上の窓９の縁に鏡１４の端を設けて鏡面１６を透明ブックの上面３の上に傾けて設ける。
◎  補助鏡のプリズムミラーの鏡面に光の反射よけの色を付けて使用することも出来る。
◎  図１４、透明ブロックを分割して作り、上面の窓と底面の窓に分けて設けて使用することも出来る。
◎  図１１、透明ブロック２と、プリズムミラー１を一体にして作って使用することも出来る。
◎  図４、図５、透明ブロックの一端を凸面や凹面や傾斜を付けて使用することも出来る。
◎  図１２、ドアミラー７の鏡面８に対してプリズムミラーの鏡面１６を垂直にして設けて使用することも出来る。
◎  透明ブロックを台形にして作って使用することも出来る。
【図面の簡単な説明】
【図１】図１は、透視図
【図２】図２は、正面図
【図３】図３は、側面図
【図４】図４は、正面図
【図５】図５は、正面図
【図６】図６は、正面図
【図７】図７は、平面図
【図８】図８は、底面図
【図９】図９は、一部カットした正面図
【図１０】図１０は、背面図
【図１１】図１１は、正面図と側面図
【図１２】図１２は、正面図
【図１３】図１３は、正面図
【図１４】図１４は、正面図
【符号の説明】  １は、プリズムミラー
２は、透明ブロック
３は、透明ブロックの上面
４は、透明ブロックの底面
５は、凸面
６は、凹面
７は、ドアミラー
８は、ドアミラーの鏡面
９は、上面の窓
１０は、底面の窓
１１は、車
１２は、取り付け台
１３は、プリズムミラーと透明ブロックを一体に作った透明ブロック
１４は、鏡
１５は、反射鏡
１６は、プリズムミラーの鏡面
１７は、上面
１８は、底面
１９は、分割した透明ブロック
２０は、分割した透明ブロック
２１は、プリズムミラーの底面
Ａは、中心線
矢印は、画面の進行方向
【図１】
0003188691.tif 000003
【図２】
0003188691.tif 000004
【図３】
0003188691.tif 000005
【図４】
0003188691.tif 000006
【図５】
0003188691.tif 000007
【図６】
0003188691.tif 000008
【図７】
0003188691.tif 000009
【図８】
0003188691.tif 000010
【図９】
0003188691.tif 000011
【図１０】
0003188691.tif 000012
【図１１】
0003188691.tif 000013
【図１２】
0003188691.tif 000014
【図１３】
0003188691.tif 000015
【図１４】
0003188691.tif 000016
【手続補正書】
【提出日】平成25年8月27日(2013.8.27)
【手続補正１】
【補正対象書類名】実用新案登録請求の範囲
【補正対象項目名】全文
【補正方法】変更
【補正の内容】
【実用新案登録請求の範囲】
【請求項１】
ドアミラー７の上面１７に窓９を設けて、ドアミラー７の底面１８に窓１０を設ける。
ドアミラー７の中に透明ブロック２を入れて、ドアミラーの上面の窓９に透明ブロックの上面３を合せて設けて、ドアミラーの底面の窓１０に透明ブロックの底面４を合せて設けて、ドアミラー７の中に透明ブロック２を設置する。
ドアミラー７の上面の窓９の上にプリズムミラーの底面２１を合せて設けて、ドアミラー７の上面１７の上にプリズムミラー１を設置する。
以上のように装置した透明ブロック２の底面４に映った車のフロントの側面と、フロントのタイヤの側面と、タイヤの下の道路の映った画面を、透明ブロック２の体積の中を通過させて、プリズムミラーの底面２１から反射面１５に送って屈折させてドアミラー７の上に設けたプリズムミラー１の鏡面１６に映すことの出来るドアミラー７の一端に設けた補助鏡の装置。
【手続補正書】
【提出日】平成25年11月8日(2013.11.8)
【手続補正１】
【補正対象書類名】実用新案登録請求の範囲
【補正対象項目名】全文
【補正方法】変更
【補正の内容】
【実用新案登録請求の範囲】
【請求項１】
ドアミラー（７）の上面（１７）に窓（９）を設け、前記ドアミラー（７）の底面（１８）に窓（１０）を設け、前記上面の窓（９）に透明ブロック（２）の上面（３）を合せ、前記底面の窓（１０）に前記透明ブロック（２）の底面（４）を合せることで、前記ドアミラー（７）の内部に前記透明ブロック（２）を設置するとともに、前記上面の窓（９）の上にプリズムミラー（１）の底面（２１）を合せることで、前記ドアミラー（７）の上面（１７）の上に前記プリズムミラー（１）を設置する補助鏡であって、前記透明ブロック（２）の底面（４）に映った車のフロントの側面と、フロントのタイヤの側面と、タイヤの下の道路の映った画面を、前記透明ブロック（２）の中を通過させて前記プリズムミラー（１）の底面（２１）に送り、反射面（１５）で屈折させて前記プリズムミラー（１）の鏡面（１６）に映すことが出来ることを特徴とするドアミラー（７）の一端に設けた補助鏡。